(57)【要約】【課題】二つ折り型カメラ付携帯機器には、閉じた状態でサブＬＣＤ８２にカメラ１３の撮像した被写体画像を表示してカメラ撮影を可能にする撮影モードと、開いた状態で撮影した被写体画像をメインＬＣＤ８１に表示する撮影画像表示モードとがある。これらのモード切替は、従来、ユーザが操作部６をキー操作することにより行われていた。【解決手段】撮影モード中に、撮影画像をＲＡＭ５に保存した直後に操作面側筐体２２及び表示面側筐体２３が開かれたかを判断し、この条件が満足されれば、撮影モードを撮影画像表示モードに切り替え、メインＬＣＤ８１にユーザが撮影した被写体画像を表示する。一方、撮影画像表示モード中に、操作面側筐体２２及び表示面側筐体２３が閉じられたかを判断し、この条件が満足されれば、撮影画像表示モードを撮影モードに切り替え、サブＬＣＤ８２にカメラ１３が撮像した被写体画像を表示する。【選択図】          図２
2004312450.tif 000002
【特許請求の範囲】
【請求項１】
ヒンジにより連結された二つの筐体が閉じた状態で互いに合わさる一方の面に設けられたメイン画面と、上記二つの筐体が合わさった状態で外側の一方の面に設けられたサブ画面とを有し、少なくとも閉じた状態で上記サブ画面にカメラの撮影画面を表示してカメラ撮影を可能にした二つ折り型カメラ付携帯機器であって、上記二つの筐体を閉じた状態で撮影し、その撮影画像をメモリに保存した直後に上記二つの筐体が開かれることを条件に、上記メモリに保存した撮影画像を上記メイン画面に表示することを特徴とする二つ折り型カメラ付携帯機器。
【請求項２】
メモリに保存した撮影画像をメイン画面に表示した状態から二つの筐体が閉じられたことを条件に、サブ画面にカメラの撮影画面を表示してカメラ撮影を可能にすることを特徴とする請求項１記載の二つ折り型カメラ付携帯機器。
【発明の詳細な説明】
【０００１】
【発明の属する技術分野】
この発明は、携帯電話機等の二つ折り型カメラ付携帯機器に関し、特に、二つ折り型になっている二つの筐体の開閉に応じて携帯機器の動作モードを切り替えられるようにしたものに関する。
【０００２】
【従来の技術】
周知のように、携帯電話機にあっては、若者から高年齢層まで広く普及して来ており、単に電話機としての通話機能のみならず、パケット機能など各種の機能が付加されるようになってきた。
【０００３】
近年、携帯電話機はカメラ付のものが若者を中心に流行してきており、携帯の利便さから、いつでも何処でも気に入った場面で撮影できることから人気に拍車がかけられている。
【０００４】
従来、二つ折り型カメラ付携帯電話機を閉じた状態でカメラ撮影する場合、筐体背面に設けられたサブ画面に被写体の撮像を表示させながら、ユーザが気に入った場面でシャッタボタンを操作して撮影し、保存した画像を確認するには、一旦開いた後、ボタン操作によりメニュー等を表示し、撮影画像を表示するモードに切り替え操作を行っている。
【０００５】
また、撮影画像表示モードから閉じた状態でカメラ撮影する撮影モードに移行する場合、開いた状態でボタン操作によりメニュー等を表示し、撮影モードに切り替え操作を行った後、閉じてカメラ撮影するようになっている。
【０００６】
なお、二つ折り型カメラ付携帯電話機として特許文献１がある。
【０００７】
【特許文献１】
特開２００２−２０４２９６号公報
【０００８】
【発明が解決しようとする課題】
従来の技術では、閉じた状態で撮影した場合、撮影した画像を確認するためには、一旦二つ折りされた筐体を開き、撮影画像表示モードにするためのキー操作を行わなければならない煩わしさがあった。また、撮影画像表示モードで撮影画像を確認後、撮影画像表示モードから撮影可能な撮影モードへ移行するにはさらにキー操作が必要であり、一連の操作にはすべてユーザがキー操作を行う必要がある問題点があった。
【０００９】
この発明は、上記のような問題点に鑑みてなされたものであり、筐体の開閉動作に伴って動作モードを切り替えられるようにしたものである。
【００１０】
【課題を解決するための手段】
この発明に係る二つ折り型カメラ付携帯機器は、ヒンジにより連結された二つの筐体が閉じた状態で互いに合わさる一方の面に設けられたメイン画面と、上記二つの筐体が合わさった状態で外側の一方の面に設けられたサブ画面とを有し、少なくとも閉じた状態で上記サブ画面にカメラの撮影画面を表示してカメラ撮影を可能にした二つ折り型カメラ付携帯機器であって、上記二つの筐体を閉じた状態で撮影し、その撮影画像をメモリに保存した直後に上記二つの筐体が開かれることを条件に、上記メモリに保存した撮影画像を上記メイン画面に表示するように構成したものである。
【００１１】
【発明の実施の形態】
実施の形態１．
以下、この発明の実施の形態１に係る二つ折り型カメラ付携帯電話機を図について説明する。
【００１２】
図１は二つ折り型カメラ付携帯電話機を閉じた状態と開いた状態とを示す概略図であり、テンキー等の操作キー２１が設けられた操作面側筐体２２とメイン画面としてのメインＬＣＤ８１が設けられた表示面側筐体２３とがヒンジ部２４で連結され、これら二つの筐体２２、２３が開閉可能になっている。上記操作キー２１とメインＬＣＤ８１は操作面側筐体２２及び表示面側筐体２３が閉じた状態で互いに合わさる面側に設けられている。
【００１３】
また、操作面側筐体２２及び表示面側筐体２３が閉じた状態で外側となるメインＬＣＤ８１が設けられた面の背面側にはサブ画面としてのサブＬＣＤ８２が設けられている。一方、操作キー２１が設けられた面の背面側にはカメラ（図示せず。）が設けられている。２５はカメラのシャッタボタンである。
図２はこの発明の実施の形態１に係るカメラ付携帯電話機のブロック図であり、１は基地局と無線回線を介して信号を送受するアンテナ、２はこのアンテナ１を介して送受信する信号を変調及び復調する無線部であり、制御部３に接続されている。制御部３は後述する各部と接続されており、ＲＯＭ４に記憶されたプログラムにしたがって、各部の制御機能を司る。ＲＡＭ５は上記制御部３のプログラムの一部及び制御処理に使用するデータを一次記憶する。６は操作部であり、テンキー、機能キーなどの各種操作キーを有し、制御部３に対してキー操作により各種の処理を実行するための指示を送出する。
【００１４】
７は表示制御部であり、上記操作部６から入力される電話番号をメインＬＣＤ８１に表示させたり、後述するカメラ１３が撮像する画像をメインＬＣＤ８１又はサブＬＣＤに表示制御する。
９は音響制御部で、レシーバ１０及びマイク１１に接続され、上記アンテナ１、無線部２、及び制御部３を介して送信されてきた通話相手の音声をレシーバ１０から音声出力し、他方、ユーザの音声を、マイク１１を介して入力し、制御部３、無線部２、及びアンテナ１を通して通話相手に音声送信する。
１２はカメラ制御部であり、カメラ１３及び被写体を照らす光源としてのライト１４に接続されている。
【００１５】
二つ折り型カメラ付携帯電話機で被写体を撮影する場合、操作面側筐体２２及び表示面側筐体２３を開いて操作部６の機能キーを操作し、制御部３に対して、制御モードを撮影モードに設定する指示を行い、操作面側筐体２２及び表示面側筐体２３を閉じる。制御部３は、操作部６の指示により制御モードを撮影モードに設定するとカメラ１３に電源供給して、被写体を撮像可能にさせると共に、カメラ制御部１２を制御可能にし、カメラ１３の撮像する画像を画像処理させる。カメラ制御部１２はカメラ１３が撮像した画像を高画質化処理、あるいは高感度化処理することが可能である。即ち、画像の１画素を多くの情報を基に処理することにより、高画質の画像とすることができ、また、周囲環境が暗い状態で撮像されていても、見えやすくする高感度の画像とすることができるものである。
【００１６】
高画質化処理、あるいは高感度化処理を行うには、ユーザが操作部６を操作し、制御部３を介してカメラ制御部に高画質化処理、あるいは高感度化処理の指示をする必要がある。
カメラ制御部１２により画像処理された画像データは、制御部３の制御によって、表示制御部７へ入力され、サブＬＣＤ８２に表示される。
ユーザはサブＬＣＤ８に表示された被写体画像を確認しながら、シャッターボタン２５を操作することにより、その時の被写体画像が撮影され、被写体の画像データがＲＡＭ５に記憶される。
【００１７】
この状態でユーザが撮影した被写体画像を確認したい場合、ユーザは操作面側筐体２２及び表示面側筐体２３を開く。このとき制御部３は図３に示したフローチャートにしたがって、次の判断を実行する。
【００１８】
即ち、撮影モードで操作面側筐体２２及び表示面側筐体２３が閉じている状態ＳＴ１から（条件１）撮影画像をＲＡＭ５に保存した直後に操作面側筐体２２及び表示面側筐体２３が開かれたかを判断するＳＴ２。この条件１が満足されなければ、撮影モードを継続するＳＴ３。一方、条件１が満足されれば、撮影モードを撮影画像表示モードに切り替え、メインＬＣＤ８１にユーザが撮影した被写体画像を表示する。
【００１９】
次に、撮影画像表示モードでユーザがメインＬＣＤ８１に表示された被写体画像を確認中に、再度カメラ撮影したい場合、ユーザは操作面側筐体２２及び表示面側筐体２３を閉じる。このとき制御部３は図４に示したフローチャートにしたがって、次の判断を実行する。
【００２０】
即ち、撮影画像表示モードで操作面側筐体２２及び表示面側筐体２３が開いており、メインＬＣＤ８１に被写体画像を表示している状態ＳＴ１１から（条件２）操作面側筐体２２及び表示面側筐体２３が閉じられたかを判断するＳＴ１２。この条件２が満足されなければ、撮影画像表示モードを継続するＳＴ１３。一方、条件２が満足されれば、撮影画像表示モードを撮影モードに切り替え、サブＬＣＤ８２にカメラ１３が撮像した被写体画像を表示する。
【００２１】
【発明の効果】
以上述べたように、この発明によれば、二つ折れ型カメラ付携帯機器の開閉動作に連動して撮影画像表示モード及び撮影モードを切り替えることができるようにしたので、煩わしいキー操作が不要になり、カメラ操作を容易にできる効果がある。
【図面の簡単な説明】
【図１】この発明の実施の形態１に係る二つ折れ型カメラ付携帯電話機の概要図である。
【図２】この発明の実施の形態１に係る二つ折れ型カメラ付携帯電話機のブロック図である。
【図３】この発明の実施の携帯１に係る制御部の動作フローチャートである。
【図４】この発明の実施の携帯１に係る制御部の動作フローチャートである。
【符号の説明】
１  アンテナ、  ２  無線部、  ３  制御部、  ６  操作部、  １２  カメラ制御部、  １３  カメラ、  ８１  メインＬＣＤ  ８２  サブＬＣＤ。
【図１】
2004312450.tif 000003
【図２】
2004312450.tif 000004
【図３】
2004312450.tif 000005
【図４】
2004312450.tif 000006